(57)【要約】【課題】屋外から屋内に、塵埃が除去された空気とともに光を取込むことができるフィルター装置等を提供する。【解決手段】本発明に係るフィルター装置１は、光を透過させる光透過性部材により形成された光透過部２と、空気を通過させるととも塵埃をろ過する空気ろ過部材により形成された空気ろ過部３とを備えたことを特徴とする。また、本発明に係るフィルター装置付きダクトは、フィルター装置１が、建物５の屋内５２と屋外５１とを連通可能なように建物内に設置されたダクト４の内側においてダクト４内の流路を塞ぐように設置されて、空気Ａが空気ろ過部３を通過するとともに、光Ｌが光透過部２を透過するように構成されたことを特徴とする。【選択図】図３
2019196890.tif 000002
【特許請求の範囲】
【請求項１】
光を透過させる光透過性部材により形成された光透過部と、空気を通過させるととも塵埃をろ過する空気ろ過部材により形成された空気ろ過部とを備えたことを特徴とするフィルター装置。
【請求項２】
空気ろ過部と光透過部とが隣り合うように設けられたことを特徴とする請求項１に記載のフィルター装置。
【請求項３】
中央部と、中央部の周囲を取り囲むように設けられた環状部とを備え、中央部及び環状部のうちの一方が光透過部により形成されて他方が空気ろ過部により形成されたことを特徴とする請求項１に記載のフィルター装置。
【請求項４】
複数の光透過性部材により構成された光透過部と、複数の空気ろ過部材により構成された空気ろ過部とを備え、光透過性部材と空気ろ過部材とが隣り合うように配置されて構成されたことを特徴とする請求項１に記載のフィルター装置。
【請求項５】
板状部材と、当該板状部材に取付けられて当該板状部材の一方の板面よりも突出して当該一方の板面と交差する方向に延長するように設けられた一方の突出部材と、当該板状部材に取付けられて当該板状部材の他方の板面よりも突出して当該他方の板面と交差する方向に延長するように設けられた他方の突出部材とを備え、板状部材及び突出部材のうちの一方が光透過部により形成されて他方が空気ろ過部により形成されたことを特徴とする請求項１に記載のフィルター装置。
【請求項６】
請求項１乃至請求項５のいずれか一項に記載のフィルター装置が、建物の屋内と屋外とを連通可能なように建物内に設置されたダクトの内側においてダクト内の流路を塞ぐように設置されて、空気が空気ろ過部を通過するとともに、光が光透過部を透過するように構成されたことを特徴とするフィルター装置付きダクト。
【請求項７】
請求項１乃至請求項５のいずれか一項に記載のフィルター装置が、ガラリの外側又はガラリの内側に取付けられたことを特徴とするフィルター装置付きガラリ。
【発明の詳細な説明】
【技術分野】
【０００１】
本発明は、光透過機能と空気ろ過機能とを兼ね備えたフィルター装置等に関する。
【背景技術】
【０００２】
従来、例えば、内面が鏡面等の光反射面に形成された光ダクトと呼ばれるダクトが知られている（特許文献１等参照）。
また、光ダクト内に屋外から空気を取り込み可能として、屋内に光と空気を取り込むように構成された建物が知られている（特許文献２等参照）。
【先行技術文献】
【特許文献】
【０００３】
【特許文献１】特開２００４−３９３１８号公報
【特許文献２】特開２０１２−２１１４５１号公報
【発明の概要】
【発明が解決しようとする課題】
【０００４】
しかしながら、特許文献２に開示された建物では、屋外からダクト内に空気と一緒に塵埃が取り込まれた場合、当該塵埃が屋内に取り込まれてしまうという課題があった。
本発明は、屋外から屋内に、塵埃が除去された空気とともに光を取込むことができるフィルター装置等を提供するものである。
【課題を解決するための手段】
【０００５】
本発明に係るフィルター装置は、光を透過させる光透過性部材により形成された光透過部と、空気を通過させるととも塵埃をろ過する空気ろ過部材により形成された空気ろ過部とを備えた。
また、空気ろ過部と光透過部とが隣り合うように設けられた。
また、フィルター装置は、中央部と、中央部の周囲を取り囲むように設けられた環状部とを備え、中央部及び環状部のうちの一方が光透過部により形成されて他方が空気ろ過部により形成された。
また、フィルター装置は、複数の光透過性部材により構成された光透過部と、複数の空気ろ過部材により構成された空気ろ過部とを備え、光透過性部材と空気ろ過部材とが隣り合うように配置されて構成された。
また、フィルター装置は、板状部材と、当該板状部材に取付けられて当該板状部材の一方の板面よりも突出して当該一方の板面と交差する方向に延長するように設けられた一方の突出部材と、当該板状部材に取付けられて当該板状部材の他方の板面よりも突出して当該他方の板面と交差する方向に延長するように設けられた他方の突出部材とを備え、板状部材及び突出部材のうちの一方が光透過部により形成されて他方が空気ろ過部により形成された。
以上のような、本発明に係るフィルター装置によれば、建物の屋内と屋外とを連通可能なように建物内に設置されたダクトの内側や、ガラリの外側又はガラリの内側に取付けられることにより、屋外から建物の屋内に、塵埃が除去された清浄な空気とともに光を取込むことができるようになる。
また、本発明に係るフィルター装置付きダクトは、上述したフィルター装置が、建物の屋内と屋外とを連通可能なように建物内に設置されたダクトの内側においてダクト内の流路を塞ぐように設置されて、空気が空気ろ過部を通過するとともに、光が光透過部を透過するように構成された。
また、本発明に係るフィルター装置付きガラリは、上述したフィルター装置が、ガラリの外側又はガラリの内側に取付けられた。
以上のように構成されたフィルター装置付きダクト、フィルター装置付きガラリによれば、屋外から建物の屋内に、塵埃が除去された清浄な空気とともに光を取込むことができるようになる。
【図面の簡単な説明】
【０００６】
【図１】実施形態１のフィルター装置を示す正面図。
【図２】実施形態１のフィルター装置を示す斜視図。
【図３】実施形態１のフィルター装置を備えたフィルター装置付きダクトを示す断面図。
【図４】実施形態２のフィルター装置を示す正面図。
【図５】実施形態２のフィルター装置を示す斜視図。
【図６】実施形態２のフィルター装置を示す斜視図。
【図７】実施形態３のフィルター装置を示す正面図。
【図８】実施形態３のフィルター装置を示す斜視図。
【図９】実施形態３のフィルター装置を備えたフィルター装置付きダクトを示す断面図。
【図１０】実施形態４のフィルター装置付きガラリを示す分解斜視図。
【図１１】実施形態４のフィルター装置付きガラリを示す分解斜視図。
【発明を実施するための形態】
【０００７】
実施形態１
図１，図２に示すように、実施形態１に係るフィルター装置１は、光Ｌを透過させる機能を備えた光透過部２と、当該光透過部２よりも光透過率が低く、かつ、空気Ａが通過可能で塵埃をろ過する機能を備えた空気ろ過部（エアフィルター）３とを備え、例えば図３に示すように、ダクト４の内側に着脱可能なように構成されている。
【０００８】
光透過部２は、光Ｌを透過させてかつ空気Ａを通過させない、ガラス、アクリル樹脂等の光透過性部材により構成される。
空気ろ過部３は、空気Ａを通過させるととも塵埃をろ過する、繊維素（セルロース）、グラスウール、グラス繊維等の多孔質部材により形成された空気ろ過部材により構成される。
即ち、フィルター装置１は、光透過部２による光透過機能と空気ろ過部３による空気ろ過機能とを兼ね備え、図３に示すように、ダクト４の内側に設置されることにより、屋外５１から建物５の屋内５２に、塵埃が除去された清浄な空気Ａとともに光Ｌを取込むことができるように構成されたフィルター装置である。
【０００９】
図３に示すように、ダクト４は、建物５の屋内５２と屋外５１とを連通可能なように建物５内に設置される。
ダクト４は、例えば、内周面４１が鏡面等の光反射面に形成された光ダクトと呼ばれるダクトである。
ダクト４は、一端開口縁４２が建物５の外壁５３に形成された給排気口５４に接続され、外壁５３側から建物５の内側に延長する延長端である他端４３側に制気口４４及び放光部４５を備えた構成となっている。
尚、図３に示すように、ダクト４の他端４３の開口に放光部４５が嵌め込まれるように設けられて、かつ、ダクト４の他端４３側の周面に制気口４４が設けられた構成であっても良いし、あるいは、ダクト４の他端４３の開口に制気口４４が設けられて、かつ、ダクト４の他端４３側の周面に放光部４５が設けられた構成であっても良い。
放光部４５は、光透過部２と同様に、光Ｌを透過させてかつ空気Ａを通過させない、ガラス、アクリル樹脂等の光透過性部材により構成される。
【００１０】
図３に示すように、建物５の外壁５３には、ベントキャップ６が取付けられている。
ベントキャップ６は、例えば、給排気口５４の屋外側前方、屋外側上方、屋外側左右を覆う覆部６１を備えるとともに、給排気口５４の屋外側下方に給排気部６２を備えた構成である。
覆部６１は、例えば、給排気口５４の屋外側前方を覆う前覆部６１ａ、給排気口５４の屋外側上方を覆う上覆部６１ｂ、給排気口５４の屋外側左方を覆う左覆部６１ｃ、給排気口５４の屋外側右方を覆う図外の右覆部を備える。
ベントキャップ６の覆部６１の少なくとも一部、例えば、前覆部６１ａ、上覆部６１ｂ、左覆部６１ｃ、図外の右覆部のうちの１つ以上が採光部６３に形成されている。
例えば、図３に示すように、ベントキャップ６の上覆部６１ｂが採光部６３に形成されている。
当該採光部６３は、光透過部２、放光部４５と同様に、光Ｌを透過させてかつ空気Ａを通過させない、ガラス、アクリル樹脂等の光透過性部材により構成される。
即ち、ベントキャップ６は、採光部６３を備えていることにより、屋外５１からの光Ｌが当該採光部６３を透過して、屋外５１からの光Ｌをベントキャップ６の内側及びダクト４の内側に取り入れることができるように構成されている。
【００１１】
図１乃至図３に示すように、フィルター装置１は、中央部Ｃと、中央部Ｃの周囲を取り囲むように設けられた環状部Ｓとを備えて、中央部Ｃと環状部Ｓとが隣り合うように構成され、中央部Ｃ及び環状部Ｓのうちの一方が光透過部により形成されて他方が空気ろ過部により形成されている。
つまり、フィルター装置１は、中央部Ｃの外周面と環状部Ｓの内周面とが接触し、かつ、環状部Ｓの外周面（フィルター装置１の外周面１１）とダクト４の内周面４１とが接触する板状に形成されていれば、どのような形状に形成されていても構わない。例えば、フィルター装置１は、板面の直径寸法がダクト４の内径寸法に対応した寸法の円形板、楕円形板、角形板（四角形板、多角形板等）等の板状に形成されている。
また、中央部Ｃの外周形状もどのような形状に形成されていても構わない。例えば、多角形、星形等の板状に形成されていてもよい。そして、環状部Ｓの内周形状は、中央部Ｃの外周形状に対応して中央部Ｃの外周に嵌合するような形状に形成されていればよい。
【００１２】
例えば、図１，図２に示すように、フィルター装置１が円形板により構成される場合、フィルター装置１を構成する円形板の円の中央部Ｃを形成する小径円形板により形成された光透過部２と、当該小径円形板の周囲を取り囲むように設けられてフィルター装置１を構成する円形板の円の周縁部を形成する環状部Ｓとしての円環板により形成された空気ろ過部３とが組み合わされて構成される。即ち、直径寸法がダクト４の内径寸法に対応した円環板（２つの同心円によって囲まれた板厚数ｃｍ程度の円環板）に形成された空気ろ過部３と、当該円環板により形成された空気ろ過部３の中央円形空間に嵌め込まれる小径円形板により形成された光透過部２とを備え、光透過部２を形成する小径円形板の外周面と空気ろ過部３を形成する円環板の内周面とが、例えば接着手段で接着されて構成される。
あるいは、図示しないが、フィルター装置１が円形板により構成される場合、フィルター装置１を構成する円形板の円の中央部Ｃを形成する小径円形板により形成された空気ろ過部３と、当該小径円形板の周囲を取り囲むように設けられてフィルター装置１を構成する円形板の円の周縁部を形成する環状部Ｓとしての円環板により形成された光透過部２とが組み合わされて構成されるようにしてもよい。即ち、直径寸法がダクト４の内径寸法に対応した円環板（２つの同心円によって囲まれた板厚数ｃｍ程度の円環板）に形成された光透過部２と、当該円環板により形成された光透過部２の中央円形空間に嵌め込まれる小径円形板により形成された空気ろ過部３とを備え、空気ろ過部３を形成する小径円形板の外周面と光透過部２を形成する円環板の内周面とが、例えば接着手段で接着されて構成されるようにしてもよい。
即ち、フィルター装置１は、円形板により構成される場合、円形板の円の中央部Ｃを形成する小径円形板及び円形板の円の周縁部を形成する環状部Ｓとしての円環板のうちの一方が光透過部２により形成されて他方が空気ろ過部３により形成されていることにより、空気ろ過部３と光透過部２とが隣り合うように設けられた構成となっている。
【００１３】
また、図示しないが、フィルター装置１が四角形板により構成される場合、フィルター装置１を構成する四角形板の四角の中央部Ｃを形成する小径四角形板により形成された光透過部２と、当該小径四角形板の周囲を取り囲むように設けられてフィルター装置１を構成する四角形板の四角の周縁部を形成する環状部Ｓとしての角環板により形成された空気ろ過部３とが組み合わされて構成される。即ち、直径寸法がダクト４の内径寸法に対応した四角環板に形成された空気ろ過部３と、当該四角環板により形成された空気ろ過部３の中央四角空間に嵌め込まれる小径四角形板により形成された光透過部２とを備え、光透過部２を形成する小径四角形板の外周面と空気ろ過部３を形成する四角環板の内周面とが、例えば接着手段で接着されて構成される。
あるいは、図示しないが、フィルター装置１が四角形板により構成される場合、フィルター装置１を構成する四角形板の四角の中央部Ｃを形成する小径四角形板により形成された空気ろ過部３と、当該小径四角形板の周囲を取り囲むように設けられてフィルター装置１を構成する四角形板の四角の周縁部を形成する環状部Ｓとしての角環板により形成された光透過部２とが組み合わされて構成されるようにしてもよい。即ち、直径寸法がダクト４の内径寸法に対応した四角環板に形成された光透過部２と、当該四角環板により形成された光透過部２の中央四角空間に嵌め込まれる小径四角形板により形成された空気ろ過部３とを備え、空気ろ過部３を形成する小径四角形板の外周面と光透過部２を形成する四角環板の内周面とが、例えば接着手段で接着されて構成されるようにしてもよい。
即ち、フィルター装置１は、四角形板により構成される場合、四角形板の四角の中央部Ｃを形成する小径四角形板及び四角形板の四角の周縁部を形成する環状部Ｓとしての四角環板のうちの一方が光透過部２により形成されて他方が空気ろ過部３により形成されていることにより、空気ろ過部３と光透過部２とが隣り合うように設けられた構成となっている。
【００１４】
尚、フィルター装置１は、光透過部２の板面と空気ろ過部３の板面とが同一面上に位置されて板厚が一定の厚さ（例えば板厚数ｃｍ程度）の板状に構成されていても良いし、あるいは、光透過部２の板面と空気ろ過部３の板面とが段差面となるような板状に構成されていても良い。
【００１５】
フィルター装置１は、ダクト４内に着脱可能に設置される。
即ち、図３に示すように、フィルター装置１が、建物５の屋内５２と屋外５１とを連通可能なように建物５内に設置されたダクト４の内側においてダクト４の中心軸４Ｃと直交する方向に延長してダクト４内の流路を塞ぐように設置されることで、フィルター装置付きダクトが構成される。
つまり、フィルター装置付きダクトは、フィルター装置１の外周面１１とダクト４の内周面４１とが接触するように、フィルター装置１がダクト４の内側に設置された構成である。ここで、「フィルター装置１の外周面１１とダクト４の内周面４１とが接触する」とは、フィルター装置１の外周面１１とダクト４の内周面４１とが面全体に渡って接触することを意味する。
当該フィルター装置付きダクトによれば、図３に示すように、屋外５１からの空気Ａが、ベントキャップ６の給排気部６２を介してダクト４内に流入して空気ろ過部３を通過した後に制気口４４を介して屋内５２に流入するとともに、屋外５１からの光Ｌが、ベントキャップ６の採光部６３、光透過部２、放光部４５を透過して屋内５２に差し込むようになる。
【００１６】
フィルター装置１をダクト４内に着脱可能に取付けるための取付構造は、図示しないが、例えば、ダクト４の周面に設けられた点検口等の挿脱孔部と、当該挿脱孔部を介してダクト４内に挿入されたフィルター装置１がダクト４の中心軸４Ｃに沿った方向に移動しないように規制する規制部と、挿脱孔部を塞ぐ塞蓋とを備えた構成とすればよい。
規制部は、例えば、ダクト４の内周面４１よりダクト４の中心軸４Ｃに近付く方向に延長してダクト４内に挿入されたフィルター装置１の周縁側の両方の板面を挟むように設けられた互いに対向する例えば一対の規制板により構成される。
【００１７】
尚、環板状の空気ろ過部３を備えたフィルター装置１の場合、当該空気ろ過部３の形状を保持するための図外の枠材を設け、この枠材で空気ろ過部３を保持するようにすることが好ましい。
【００１８】
実施形態１のフィルター装置１によれば、光を透過させる機能を備えた光透過部２と、当該光透過部２よりも透過率が低く、かつ、空気が通過可能で空気中の塵埃をろ過する機能を備えた空気ろ過部３と、を備えたので、例えば、ダクト４内に設置されることにより、屋外５１から屋内５２に、塵埃が除去された清浄な空気とともに光を取込むことができるようになる。
また、ダクト４の内側に当該フィルター装置１が設置されたフィルター装置付きダクトによれば、一端開口縁４２を建物５の外壁５３に形成された給排気口５４に固定し、他端（他端開口縁）４３側を建物５の屋内５２に位置させることで、屋外５１から建物５の屋内５２に、塵埃が除去された清浄な空気とともに光を取込むことができるようになる。
【００１９】
実施形態２
実施形態２のフィルター装置は、光透過部２が、光透過性部材により板状に形成された複数のピースにより構成され、かつ、空気ろ過部３が、空気ろ過部材により板状に形成された複数のピースにより構成され、光透過性部材のピースと空気ろ過部材のピースとが隣り合うように配置されて構成されたフィルター装置とした。
例えば、図４乃至図６に示すように、板状に形成された複数の光透過性部材と、板状に形成された複数の空気ろ過部材と、を組み合わせて構成されたフィルター装置であっても良い。
【００２０】
例えば、図４，５に示すように、フィルター装置が、断面四角形のダクト４の内周面に対向する外周面を備えた四角形板の様な板状に構成される場合、例えば同じ大きさの正方形の板状の光透過性部材２ａと空気ろ過部材３ａとを複数作成し、光透過性部材２ａを形成する正方形の板の端面と空気ろ過部材３ａを形成する正方形の板の端面とを突き合わせて、複数の光透過性部材２ａ，２ａ…の板面と複数の空気ろ過部材３ａ，３ａ…の板面とによる市松模様が形成された板面を備えた構成のフィルター装置１Ａとした。
【００２１】
また、例えば、図６に示すように、フィルター装置が、断面円形のダクト４の内周面に対向する外周面を備えた円形板の様な板状に構成される場合、例えば同じ大きさの扇形の板状の光透過性部材２ｂと空気ろ過部材３ｂとを複数作成し、光透過性部材２ｂを形成する扇形の板の端面と空気ろ過部材３ｂを形成する扇形の板の端面とを突き合わせて、円形板の板面が複数の光透過性部材２ｂ，２ｂ…の扇形板面と複数の空気ろ過部材３ｂ，３ｂ…の扇形板面とで円の周方向に交互に区切られた構成のフィルター装置１Ｂとした。
【００２２】
尚、フィルター装置装置１Ａ，１Ｂは、複数の光透過性部材の板面と複数の空気ろ過部材の板面とが同一面上に位置されるように構成されていても良いし、あるいは、複数の光透過性部材の板面と複数の空気ろ過部材の板面とが段差面となるように構成されていても良い。
【００２３】
即ち、実施形態２のフィルター装置１Ａ，１Ｂは、複数の光透過性部材により構成された光透過部２と、複数の空気ろ過部材により構成された空気ろ過部３とを備え、光透過性部材と空気ろ過部材とが隣り合うように配置されて構成されたことにより、光透過部２と空気ろ過部３とがバランスよく均等に設けられた構成としたので、例えば、ダクト４内に設置されることにより、屋外５１から建物５の屋内５２に、光とともに清浄な空気をバランス良く取込むことができるようになる。
【００２４】
実施形態２によれば、フィルター装置１Ａやフィルター装置１Ｂの外周面とダクト４の内周面４１とが接触するように設置されることにより、フィルター装置付きダクトが構成され、屋外５１から建物５の屋内５２に、光とともに清浄な空気をバランス良く取込むことができるようになる。
【００２５】
尚、実施形態２に係るフィルター装置は、ダクト４の内周面４１と接触する外周面を備えた円形板、四角形板等の板状の光透過性部材に、当該光透過性部材板面を貫通する貫通孔を所定の間隔を隔てて複数形成し、これら複数の貫通孔内に、それぞれ、空気ろ過部材が装填されて構成されたものであってもよい。
また、実施形態２に係るフィルター装置は、上述したフィルター装置１Ａ，１Ｂのような構成に限らず、光透過部と空気ろ過部とを備えた構成であればよいが、屋外から建物の屋内に、光とともに清浄な空気をバランス良く取込むことができるように、光透過部と空気ろ過部とがバランス良く配置された構成とすることが好ましい。
【００２６】
実施形態３
図７乃至図９に示すように、フィルター装置は、板状部材Ｘと、当該板状部材Ｘに取付けられて当該板状部材Ｘの一方の板面（例えば図９の板面２ｘ）よりも突出して当該一方の板面と交差する方向に延長するように設けられた一方の突出部材Ｙ１と、当該板状部材Ｘに取付けられて当該板状部材Ｘの他方の板面（例えば図９の板面２ｙ）よりも突出して当該他方の板面と交差する方向に延長するように設けられた他方の突出部材Ｙ２とを備え、板状部材Ｘ及び突出部材Ｔ１，Ｙ２のうちの一方が光透過部により形成されて他方が空気ろ過部により形成されたフィルター装置１Ｃであっても良い。
つまり、一方の突出部材Ｙ１と他方の突出部材Ｙ２とが互いに離れる方向に延長するように、これら一方の突出部材Ｙ１及び他方の突出部材Ｙ２が板状部材Ｘに設けられている。
例えば、図８，図９に示すように、ダクト４の中心軸４Ｃに沿った方向に延長するともにダクト４の径方向に沿って延長するように形成された四角形状の板状部材Ｘと、当該板状部材Ｘにおけるダクト４の中心軸４Ｃに沿った方向の一端面（例えば図８の端面２ｓ）に取付けられて当該板状部材Ｘの一方の板面よりも突出して当該一方の板面と直交する方向に延長するように設けられた一方の突出部材Ｙ１と、当該板状部材Ｘにおけるダクト４の中心軸４Ｃに沿った方向の他端面（例えば図８の端面２ｓ）に取付けられて当該板状部材Ｘの他方の板面よりも突出して当該他方の板面と直交する方向に延長するように設けられた他方の突出部材Ｙ２とを備え、板状部材Ｘが光透過性部材２ｃにより形成されて、一方の突出部材Ｙ１及び他方の突出部材Ｙ２が空気ろ過部材３ｃにより形成された構成のフィルター装置１Ｃとした。
【００２７】
例えば、フィルター装置１Ｃは、図７，図８に示すように、断面円形のダクト４の内側に設置されるフィルター装置１Ｃの場合、ダクト４の中心軸４Ｃに沿った方向に延長するともにダクト４の径方向に沿って延長する四角形状の板状部材Ｘを形成する光透過性部材２ｃと、ダクト４の内周面４１の曲率と対応した曲率の外周面３ｒを有した半円形の板状の一方の突出部材Ｙ１及び他方の突出部材Ｙ２を形成する２つの空気ろ過部材３ｃ，３ｃとが組み合わされて構成される。
【００２８】
即ち、半円形の板状に形成された２つの空気ろ過部材３ｃ，３ｃの板面が２つの互いに平行な平面上に位置されて２つの空気ろ過部材３ｃ，３ｃが互いに間隔を隔てて配置され、かつ、２つの空気ろ過部材３ｃ，３ｃの各円弧の中間地点がこれら円弧に沿った方向に互いに中心角１８０°離れて位置するように設けられる。
また、光透過性部材２ｃは、互いに対向する一方の一対の辺の長さが、互いに間隔を隔てて配置された２つの空気ろ過部材３ｃ，３ｃ間の長さに対応した長さで、かつ、互いに対向する他方の一対の辺の長さが、断面円形のダクト４の内側の直径の長さに対応した長さの四角形の板状に形成される。
そして、各空気ろ過部材３ｃ，３ｃの半円の直径に沿った端面３ｆ，３ｆ側の互いに平行に対向する各板面部分３ｓ，３ｓと光透過性部材２ｃの他方の一対の辺側の端面２ｓ，２ｓとが、例えば接着手段で接着されることで、フィルター装置１Ｃが構成される。
【００２９】
そして、図９に示すように、当該フィルター装置１Ｃは、半円形の板状に形成された２つの空気ろ過部材３ｃ，３ｃが、断面円形のダクト４の中心軸４Ｃに沿った方向において互いに間隔を隔てて配置されて、２つの空気ろ過部材３ｃ，３ｃの円弧の外周面３ｒ，３ｒがそれぞれダクト４の内周面４１と接触し、かつ、２つの空気ろ過部材３ｃ，３ｃを接続する光透過性部材２ｃにおけるダクト４の直径に沿った方向の両方の端面２ｔ，２ｔ（互いに対向する一方の一対の辺側の端面２ｔ，２ｔ）がダクト４の内周面４１と接触することにより、断面円形のダクト４内の流路を塞いだ状態となるよう、ダクト４の内側に設置される。これにより、フィルター装置付きダクトが構成される。
【００３０】
図９に示すように、実施形態３に係るフィルター装置付きダクトによれば、屋外５１からの空気Ａが、ベントキャップ６の給排気部６２を介してダクト４内に流入して空気ろ過部材３ｃ，３ｃを通過した後に制気口４４を介して屋内５２に流入するとともに、屋外５１からの光Ｌが、ベントキャップ６の採光部６３、光透過性部材２ｃ、放光部４５を透過して屋内５２に差し込むようになる。
従って、実施形態３のフィルター装置１Ｃ、当該フィルター装置１Ｃ付きのダクト４によれば、屋外５１から建物５の屋内５２に、塵埃が除去された清浄な空気とともに光を取込むことができるようになる。
【００３１】
当該フィルター装置１Ｃは、換言すれば、ダクト４内においてダクト４の中心軸４Ｃに沿って間隔を隔てて配置されてダクト４の中心軸４Ｃと直交する方向に延長する２つの突出部材（一方の突出部材Ｙ１及び他方の突出部材Ｙ２）と、２つの突出部材Ｙ１，Ｙ２の間に配置された板状部材Ｘとが組み合わされて構成されたものである。この場合、上述したように、２つの突出部材Ｙ１，Ｙ２を空気ろ過部材３ｃ，３ｃにより形成して、板状部材Ｘを光透過性部材２ｃにより形成しても良いが、逆に、２つの突出部材Ｙ１，Ｙ２を光透過性部材２ｃ，２ｃにより形成して、板状部材Ｘを空気ろ過部材３ｃにより形成しても良い。
【００３２】
突出部材Ｙ１，Ｙ２を光透過性部材２ｃ，２ｃにより形成して、板状部材Ｘを空気ろ過部材３ｃにより形成したフィルター装置１Ｃの場合、ダクト４の中心軸４Ｃと直交するように延長する光透過性部材２ｃ，２ｃが空気を遮断する壁となるために、圧力損失が大きくなる可能性があるが、図７乃至図９に示すように、突出部材Ｙ１，Ｙ２を空気ろ過部材３ｃ，３ｃにより形成して、板状部材Ｘを光透過性部材２ｃにより形成したフィルター装置１Ｃとすれば、ダクト４の中心軸４Ｃと直交するように延長するのは空気ろ過部材３ｃ，３ｃとなるため、圧力損失を小さくできる。
【００３３】
尚、突出部材Ｙ１，Ｙ２を光透過性部材２ｃ，２ｃにより形成して、板状部材Ｘを空気ろ過部材３ｃにより形成したフィルター装置１Ｃの場合であっても、板状部材Ｘを形成する空気ろ過部材３ｃにおけるダクト４の中心軸４Ｃに沿った方向の長さを長くすることで、圧力損失を小さくできると考えられる。
【００３４】
尚、図９に示すように、フィルター装置１Ｃにおける各突出部材Ｙ１，Ｙ２の半円の直径に沿った端面（例えば空気ろ過部材３ｃの端面３ｆ）と当該端面と対向するダクト４の内周面４１との間には、半円形の間隔による通路４９、即ち、ダクト４の中心軸４Ｃに沿った方向に光Ｌ又は空気Ａの通過を許容する通路４９が形成されることになる。つまり、各突出部材Ｙ１，Ｙ２の半円の直径に沿った端面は、ダクト４の内周面４１と対向して、ダクト４の中心軸４Ｃに沿った方向に光Ｌ又は空気Ａの通過を許容する通路４９を形成するための通路形成部として機能する。
また、フィルター装置１Ｃがダクト４の内側において所定の設置状態に維持されるように、通路４９側に、突出部材Ｙ１，Ｙ２を支持するための図外の支持部材を設けることが好ましい。
【００３５】
即ち、建物５の屋内５２と屋外５１とを連通可能なように建物５内に設置されたダクト４の内側に設置された実施形態３のフィルター装置１Ｃを備えたフィルター装置付きダクトは、フィルター装置１Ｃが、ダクト４内においてダクト４の中心軸４Ｃに沿って間隔を隔てて配置されてダクト４の中心軸４Ｃと交差する方向（具体的には直交する方向）に延長する２つの突出部材Ｙ１，Ｙ２と、２つの突出部材Ｙ１，Ｙ２の間に配置された板状部材Ｘとが組み合わされて構成され、板状部材Ｘは、ダクト４の中心軸４Ｃに沿った方向の一端（例えば端面２ｓ）が一方の突出部材Ｙ１に接続されるとともにダクト４の中心軸４Ｃに沿った方向の他端（例えば端面２ｓ）が他方の突出部材Ｙ２に接続され、かつ、ダクト４の中心軸４Ｃに沿った両方の側端（例えば端面２ｔ，２ｔ）がダクト４の内周面４１と接触するように構成され、突出部材Ｙ１，Ｙ２は、ダクト４の中心軸４Ｃに沿った方向に光又は空気の通過を許容する通路４９を形成するための通路形成部（例えば端面３ｆ）を備え、一方の突出部材Ｙ１の通路形成部が板状部材Ｘの他方の板面（例えば図９の板面２ｙ）側に設けられるとともに、他方の突出部材Ｙ２の通路形成部が板状部材Ｘの一方の板面（例えば図９の板面２ｘ）側に設けられた構成とした。
【００３６】
そして、図９に示すように、突出部材Ｙ１，Ｙ２が空気ろ過部材３ｃ，３ｃにより形成されて、板状部材Ｘが光透過性部材２ｃにより形成された構成のフィルター装置１Ｃがダクト４内に設置されたフィルター装置付きダクトにおいては、空気Ａが、他方の突出部材Ｙ２の通路形成部により形成された通路４９及び一方の突出部材Ｙ１（空気ろ過部材３ｃ）、又は、他方の突出部材Ｙ２（空気ろ過部材３ｃ）及び一方の突出部材Ｙ１の通路形成部により形成された通路４９を通過した後に制気口４４を介して屋内５２に流入するとともに、光Ｌが、他方の突出部材Ｙ２の通路形成部により形成された通路４９を通過した後に、板状部材Ｘ（光透過性部材２ｃ）を透過して一方の突出部材Ｙ１の通路形成部により形成された通路４９を通過し、さらに、放光部４５を透過して屋内５２に差し込むようになる。
【００３７】
また、図示しないが、突出部材Ｙ１，Ｙ２が光透過性部材２ｃ，２ｃにより形成されて、板状部材Ｘが空気ろ過部材３ｃにより形成された構成のフィルター装置１Ｃがダクト４内に設置されたフィルター装置付きダクトにおいては、空気Ａが、他方の突出部材Ｙ２の通路形成部により形成された通路４９、板状部材Ｘ（空気ろ過部材３ｃ）、一方の突出部材Ｙ１の通路形成部により形成された通路４９を通過した後に制気口４４を介して屋内５２に流入するとともに、光Ｌが、一方の突出部材Ｙ１（光透過性部材２ｃ）又は他方の突出部材Ｙ２（光透過性部材２ｃ）を透過、さらに、放光部４５を透過して屋内５２に差し込むようになる。
【００３８】
尚、フィルター装置１Ｃを断面四角形状のダクト４の内側に設置する場合には、突出部材Ｙ１，Ｙ２は、ダクト４の内周面４１の半周分と接触する辺縁面を備えた四角形状に形成すればよいことはいうまでもない。
即ち、突出部材Ｙ１，Ｙ２は、ダクト４の内周形状に対応してダクト４の内周面４１に接触する外面を備えたものであれば、どのような形状であっても構わない。
【００３９】
また、実施形態３のフィルター装置１Ｃにおいて、各突出部材Ｙ１，Ｙ２は、ダクト４の断面形状に対応した円形板、又は、四角形板等の板に、板面を貫通して光Ｌ又は空気Ａの通過を許容する通路を形成する貫通孔を通路形成部として備えた構成のものを用いてもよい。この場合、各突出部材Ｙ１，Ｙ２に形成される貫通孔は、一方の突出部材Ｙ１においては板状部材Ｘの一方の板面と連続する板面側に設けられ、他方の突出部材Ｙ２においては板状部材Ｘの他方の板面と連続する板面側に設けられる。
【００４０】
また、実施形態３のフィルター装置１Ｃの各突出部材Ｙ１，Ｙ２、実施形態１のフィルター装置１、実施形態２のフィルター装置１Ａ，１Ｂは、ダクト４の中心軸４Ｃと直交以外の交差する方向に延長する板状部材により構成してもよい。
【００４１】
実施形態４
実施形態１乃至実施形態３では、ダクト４内に設置されるフィルター装置を例示したが、ガラリの外側、又は、ガラリの内側に設けられるフィルター装置としてもよい。
例えば、図１０，図１１に示すように、ガラリ７の戸枠７１に着脱可能に構成されたフィルター装置１Ｄ，１Ｅとする。
フィルター装置１Ｄ，１Ｅは、ガラリ７全体を覆うことが可能な四角形の板状に形成される。
【００４２】
図１０に示すフィルター装置１Ｄは、実施形態２で示したフィルター装置１Ａと同じように、例えば同じ大きさの正方形の板状の光透過性部材２ｄと空気ろ過部材３ｄとを複数作成し、光透過性部材２ｄを形成する正方形の板の端面と空気ろ過部材３ｄを形成する正方形の板の端面とを突き合わせて、複数の光透過性部材２ｄ，２ｄ…の板面と複数の空気ろ過部材３ｄ，３ｄ…の板面とによる市松模様が形成された板面を備えた構成のフィルター装置である。
また、図１１に示すフィルター装置１Ｅは、例えばガラリ７を構成する各桟の延長方向の直交する方向に細長い長方形の板状の光透過性部材２ｅと空気ろ過部材３ｅとを複数作成し、光透過性部材２ｅを形成する長方形の板の端面と空気ろ過部材３ｅを形成する長方形の板の端面とを突き合わせて、複数の光透過性部材２ｅ，２ｅ…の板面と複数の空気ろ過部材３ｅ，３ｅ…の板面とが交互になるように形成された板面を備えた構成のフィルター装置である。
【００４３】
尚、戸枠７１は、例えば、上枠７１ａ，下枠７１ｂ，左枠７１ｃ，右枠７１ｄを備えた四角形状の枠に形成されている。そして、フィルター装置１Ｄ，１Ｅは、例えば、ガラリ７の戸枠７１の上枠７１ａ，下枠７１ｂ，左枠７１ｃ，右枠７１ｄに対応する上下左右の辺側に、それぞれ、弾性片等を備えた着脱部材７２を備え、この着脱部材７２，７２…により、ガラリ７の戸枠７１に着脱可能となるように構成されている。
【００４４】
実施形態４に係るフィルター装置１Ｄ，１Ｅをガラリ７の戸枠７１に取り付けることにより、屋外からの光が、フィルター装置１Ｄ，１Ｅの光透過部を透過して屋内に差し込むとともに、屋外からの空気が、フィルター装置１Ｄ，１Ｅの空気ろ過部を通過して清浄な空気として屋内に流入することになる。
即ち、ガラリ７の外側又はガラリ７の内側にフィルター装置１Ｄ，１Ｅが取付けられることにより、フィルター装置付きガラリが構成され、屋外から建物の屋内に、塵埃が除去された清浄な空気とともに光を取込むことができるようになる。
【００４５】
尚、実施形態４に係るフィルター装置は、上述したフィルター装置１Ｄ，１Ｅのような構成に限らず、光透過部と空気ろ過部とを備えた構成であればよいが、屋外から建物の屋内に、光とともに清浄な空気をバランス良く取込むことができるように、光透過部と空気ろ過部とがバランス良く配置された構成とすることが好ましい。
【符号の説明】
【００４６】
１，１Ａ〜１Ｅ  フィルター装置、２  光透過部、２ａ〜２ｅ  光透過性部材、
２ｆ  端面（通路形成部）、３  空気ろ過部、３ａ〜３ｅ  空気ろ過部材、４  ダクト、４Ｃ  ダクトの中心軸、５  建物、５１  屋外、５２  屋内、７  ガラリ、Ｃ  中央部、Ｓ  環状部、Ｘ  板状部材、Ｙ１，Ｙ２  突出部材。
【図１】
2019196890.tif 000003
【図２】
2019196890.tif 000004
【図３】
2019196890.tif 000005
【図４】
2019196890.tif 000006
【図５】
2019196890.tif 000007
【図６】
2019196890.tif 000008
【図７】
2019196890.tif 000009
【図８】
2019196890.tif 000010
【図９】
2019196890.tif 000011
【図１０】
2019196890.tif 000012
【図１１】
2019196890.tif 000013